(57)【要約】【課題】図柄可変表示装置の配置位置を容易に変更できる。【解決手段】図柄可変表示装置移動ユニット２０は、前カバー２１、後カバー２２、主制御回路装置収納カバー２３からなる収納ケース２４と、スライドベース２５と、ジョイントバンド２６とから構成され、図柄可変表示装置８を収納する。ジョイントバンド２６により、後カバー２２を挟持した状態で前カバー２１と主制御回路装置収納カバー２３とが係合される。後カバー２２は、所定ピッチで６個形成された位置決め孔２２ｆ、スライド部２２ｇが設けられる。位置決めピン２５ｃを、位置決め孔２２ｆに挿入する。後カバー２２を上下に移動させると、位置決めピン２５ｃは、スライド部２２ｇを通り隣接する位置決め孔２２ｆに移動する。位置決めピン２５ｃを、どの位置決め孔２２ｆに配置するかにより、後カバー２２の取り付け位置を６段階で変更することができる。【選択図】        図４
2004209154.tif 000002
【特許請求の範囲】
【請求項１】
図柄を変動表示させた後に停止表示させることのできる図柄可変表示装置と、
前記図柄可変表示装置を収納する収納ケースと、
少なくとも所定の遊技領域が形成される遊技盤側又は当該遊技盤が組み込まれる本体側のいずれか一方に取り付けられ、前記収納ケースを固定保持する保持部材と、
前記収納ケースを保持部材に固定保持させるときに、前記図柄可変表示装置の表示面を遊技盤に形成された開口を通して視認できるように、前記保持部材を介して収納ケースを位置調整することができる位置調整機構とを備えたことを特徴とする遊技機。
【請求項２】
前記位置調整機構を、前記保持部材又は収納ケースのいずれか一方に形成された係止突起と、その他方に所定ピッチで形成され、前記係止突起を挿通し得る複数の係止孔とから構成し、前記係止突起を複数の係止孔のいずれかに挿通させて収納ケースを固定保持することにより、前記遊技盤に形成された開口に対する位置調整を段階的に行えるようにしたことを特徴とする請求項１記載の遊技機。
【請求項３】
前記位置調整機構を、前記収納ケースに設けられ、所定位置に所定ピッチで形成された複数の係合突起を備える第１係合面と、前記保持部材に設けられ、前記第１係合面に形成された係合突起と係合させるための少なくとも１つ以上の係合突起を備える第２係合面とから構成し、前記第２係合面に形成された係合突起と、前記第１係合面に形成された係合突起とを係合させて収納ケースを固定保持することにより、前記遊技盤に形成された開口に対する位置調整を段階的に行えるようにしたことを特徴とする請求項１記載の遊技機。
【請求項４】
前記収納ケースは、第１カバーと第２カバーとにより分割し得る構成からなり、係止部材を用いて第１カバーと第２カバーとが係止されることを特徴とする請求項１ないし３いずれか１つ記載の遊技機。
【請求項５】
前記係止部材は、前記収納ケースと、遊技に基づいて作動される各種装置を作動制御する制御回路装置を収納する収納カバーとを係止させることを特徴とする請求項１ないし４いずれか１つ記載の遊技機。
【発明の詳細な説明】
【０００１】
【発明の属する技術分野】
本発明は、パチンコ店等の遊技場に設置して使用されるパチンコ機等の遊技機に関するものである。
【０００２】
【従来の技術】
遊技場に設置されるパチンコ機やスロットマシン等の遊技機は、遊技盤や遊技盤を装着させる本体枠に、遊技媒体の供給に基づいて作動させるランプ装置や音声発生装置などの様々な各種駆動装置及びこれら駆動装置を制御させるために対応させた各種制御装置（手段）  を備えており、遊技者が遊技を行う際にこれらを適宜作動させることによって遊技を興趣に溢れたものとしている。また、近年では、予め定められた入賞口への入賞等の所定条件の達成に基づいて所定の識別情報（図柄）を変動表示し得るリール表示装置または液晶画像表示装置等の図柄可変表示手段を内蔵し、所定条件を満たしたときに識別情報を変動させた後に停止表示させるように図柄可変表示手段を作動させるものが主流となっている。これらの装置は遊技機の内部に配設された制御装置によって制御されている。なお、これら図柄可変表示手段は収納ケースに収納され、その収納ケースが、例えば球通路が形成された支持板等の所定部材に組み付けられる。
【０００３】
遊技性の異なる遊技機への機種替えを行う場合、設置中の古い機種のパチンコ機は、各種制御装置や図柄可変表示手段等が組み込まれた遊技機本体ごと遊技場から取り外され、新しい機種のパチンコ機が遊技場の所定位置に配設される。遊技場から取り外された古い機種は工場等で分解され、部品によってはリユースまたはリサイクルされ、新しい機種のパチンコ機に組み込まれる。なお、上記図柄可変表示手段は品質保証期間が経過していない場合には、新しい機種のパチンコ機に組み込むとコストダウンを図ることができる。
【０００４】
【発明が解決しようとする課題】
しかしながら、遊技盤に設けられる図柄可変表示手段の表示面を露呈するための開口の位置は、パチンコ機の遊技性等によって異なる場合が多く、例えば図柄可変表示手段を収納ケースごと使用する場合には、収納ケースを各々のパチンコ機に対応させた新しいものに交換する必要がある。また、新たな収納ケースへと交換して図柄可変表示手段を再度パチンコ機に組み付ける場合には、リユース時にかかる効果的なコストダウンを行うことができないという問題がある。
【０００５】
本発明は、上記従来技術の問題を解決するためになされたものであり、図柄可変表示装置の収納ケース関係部材を共通化しても配置位置を容易に変更することができるため、異なる複数の遊技機に適用することができ、リユース時のコストダウンを効果的に行うことができる遊技機を提供することを目的とする。
【０００６】
【課題を解決するための手段】
上記目的を達成するために、本発明の遊技機は、図柄を変動表示させた後に停止表示させることのできる図柄可変表示装置と、前記図柄可変表示装置を収納する収納ケースと、少なくとも所定の遊技領域が形成される遊技盤側又は当該遊技盤が組み込まれる本体側のいずれか一方に取り付けられ、前記収納ケースを固定保持する保持部材と、前記収納ケースを保持部材に固定保持させるときに、前記図柄可変表示装置の表示面を遊技盤に形成された開口を通して視認できるように、前記保持部材を介して収納ケースを位置調整することができる位置調整機構とを備えたことを特徴とする。
【０００７】
なお、前記位置調整機構を、前記保持部材又は収納ケースのいずれか一方に形成された係止突起と、その他方に所定ピッチで形成され、前記係止突起を挿通し得る複数の係止孔とから構成し、前記係止突起を複数の係止孔のいずれかに挿通させて収納ケースを固定保持することにより、前記遊技盤に形成された開口に対する位置調整を段階的に行えるようにすること、あるいは、前記位置調整機構を、前記収納ケースに設けられ、所定位置に所定ピッチで形成された複数の係合突起を備える第１係合面と、前記保持部材に設けられ、前記第１係合面に形成された係合突起と係合させるための少なくとも１つ以上の係合突起を備える第２係合面とから構成し、前記第２係合面に形成された係合突起と、前記第１係合面に形成された係合突起とを係合させて収納ケースを固定保持することにより、前記遊技盤に形成された開口に対する位置調整を段階的に行えるようにすることが好ましい。
【０００８】
また、前記収納ケースは、第１カバーと第２カバーとにより分割し得る構成からなり、係止部材を用いて第１カバーと第２カバーとが係止されることが好ましい。さらに、前記係止部材は、前記収納ケースと、遊技に基づいて作動される各種装置を作動制御する制御回路装置を収納する収納カバーとを係止させることが好ましい。なお、前記第１カバーと第２カバーとに分割する方向は、前後，左右又は上下など任意の方向でよいこととする。また、制御回路装置とはＣＰＵ（命令処理部），ＲＯＭ及びＲＡＭ（記憶処理部）による制御構成にて処理される手段であると好適である。また、係止部材の脱着による収納ケースの分割に基づいて、図柄可変表示装置の交換や位置調整を容易または迅速にできるようにすると好適である。
【０００９】
【発明の実施の形態】
図１に本発明を用いた遊技機の１実施例であるパチンコ機の外観を示す。パチンコ機２の本体枠３の内部には遊技盤４が配設されており、遊技盤４の前面には前面枠５が開閉自在に設けられている。前面枠５の下方には、打球供給用の供給皿６及び遊技球の打ち出し強さを調節する操作ハンドル７が設けられている。遊技盤４の遊技領域４ａの略中央には、開口４ｂ（図５参照）が設けられている。開口４ｂには、予め定められた入賞口へ遊技球を入賞させるなどの所定入賞条件に基づいて遊技中に様々な図柄やキャラクタなどを液晶画面に所定時間内において変動表示させた後に停止表示させる図柄可変表示装置８が配置され、その周りには様々な種類の入賞口１０及びアウト口１１が設けられている。それぞれの入賞口１０の内には、入賞口１０に入った遊技球を検知する入賞球検知センサ１２が設けられている。遊技者は、供給皿６に遊技球を投入して該遊技球を発射装置へと導き、操作ハンドル７を回動操作して、遊技盤４上に遊技球を打ち出す。打ち出された遊技球は遊技領域４ａの上方から流下する途中でいずれかの入賞口１０に入るか、あるいはアウト口１１から回収される。なお、パチンコ機２の遊技領域４ａに設けられている複数の釘、風車などの構造物は公知であるので説明は省略する。
【００１０】
なお、前面枠５が閉じているロック状態であるときには、遊技者や遊技場の作業者は、前面枠５に板状のガラスが装着されて形成されるガラス窓９を通して遊技盤４の遊技領域４ａ及び遊技領域４ａ上を流下していく遊技球を見ることはできるが、遊技盤４にはもちろんのこと本体枠３の内部にも触れることができないようになっている。
【００１１】
図２にパチンコ機の背面側の外観を示す。パチンコ機２の本体枠３には、遊技を行う際に各種装置を作動させるための主制御を行う主制御回路装置（基板）１５の他に、副制御回路装置（基板）１６、球発射装置１７、球払出装置１８等がそれぞれ組み付けられている。これら制御回路装置及び装置は、図示しないケーブル等を介して電気的に接続されている。なお、主制御回路装置１５は、図柄可変表示装置８とともに図柄可変表示装置移動ユニット２０の内部に組み込まれる。
【００１２】
図柄可変表示装置移動ユニット２０の正面斜視図を図３に、正面分解斜視図を図４に、断面図を図５に示す。図柄可変表示装置移動ユニット２０は、前カバー２１、後カバー２２、主制御回路装置収納カバー２３からなる収納ケース２４と、収納ケース２４を本体枠３の所定位置に固定保持するためのスライドベース２５と、収納ケース２４を構成する収納手段となる各カバー２１〜２３を脱不可状態に保持する係止部材としての、例えばナイロン製のジョイントバンド２６とから構成される。図３（Ａ）はスライドベース２５に対して収納ケース２４を最上部に配置した図であり、図３（Ｂ）はスライドベース２５に対して収納ケース２４を最下部に配置した図である。
【００１３】
前カバー２１は、その前面に図柄可変表示装置８の表示面８ａを観察するための開口２１ａと、表示面８ａを保護するための保護パネル２８の位置決め用として設けられる凸部２１ｂとが形成されている。また、前カバー２１の上面及び下面には、テーパ状の突起２１ｃと、切欠き２１ｄとがそれぞれ２個ずつ形成されている。
【００１４】
後カバー２２は、正面にはビス締め孔が形成されたボス２２ａ、ビス締め孔が形成されたステップ２２ｂ、位置決め用のリブ２２ｃ、スライド開口２２ｄが設けられ、上下面には門状のゲートとしてのブリッジ２２ｅが設けられている。ボス２２ａとステップ２２ｂとは四隅に設けられ、リブ２２ｃは上下端部にそれぞれ設けられている。スライド開口２２ｄは、所定ピッチで６個形成された位置決め孔２２ｆと、この位置決め孔２２ｆの径よりも幅が小さく隣接する位置決め孔２２ｆに接続するスライド部２２ｇとからなり、ステップ２２ｂの両サイドに設けられている。ブリッジ２２ｅは上下面にそれぞれ左右２個ずつ設けられている。この後カバー２２の後面には、主制御回路装置１５を収納するように設けられた主制御回路装置収納カバー２３が取り付けられる。なお、この主制御回路装置収納カバー２３の上面及び下面には、テーパ状の突起２３ａと、ブリッジ２３ｂとがそれぞれ左右２個ずつ形成されている。
【００１５】
図４に示すように、ジョイントバンド２６は、後カバー２２を中心に挟持するように前カバー２１と主制御回路装置収納カバー２３とを係合するものであり、開口２６ａと、固定部２６ｂとが形成され、収納ケース２４の上下面の左右それぞれに設けられたテーパ状の突起２１ｃとブリッジ２２ｅとに対応するするように、４個設けられている。開口２６ａは両端部に形成されている。ジョイントバンド２６の一方の先端を後カバー２２に設けられたブリッジ２２ｅの下に潜らせ、前カバー２１に設けられた突起２１ｃに開口２６ａを挿入して係止させると、固定部２６ｂがブリッジ２２ｅに接触し、ジョイントバンド２６は移動不可状態になる。同様に残り３個のジョイントバンド２６を用いて移動不可状態にすることにより、前カバー２１と後カバー２２とは脱不可状態に係合される。そして、４つの係止された開口２６ａとは反対側となるジョイントバンド２６のもう一方の先端をブリッジ２３ｂの下に潜らせ、主制御回路装置収納カバー２３の上下面の左右それぞれに設けられた突起２３ａにそれぞれ開口２６ａを挿入して係止させると、主制御回路装置収納カバー２３は、後カバー２２と脱不可状態に係合される。
【００１６】
図４に示すように、スライドベース２５は、収納ケース２４を本体枠３の所定部材に固定保持させる部材であるが、更に、後カバー２２を上下に移動可能とする部材でもある。このスライドベース２５には、ボス２２ａが挿入される開口２５ａと、ビス締め孔が形成されたボス２５ｂと、位置決めピン２５ｃとが設けられている。開口２５ａとボス２５ｂとは上下に設けられている。位置決めピン２５ｃは、後カバー２２に設けられた位置決め孔２２ｆに挿入されることにより、後カバー２２とスライドベース２５との係合において位置決めするものであり、両サイドの上下に設けられている。なお、スライドベース２５は、本体枠３の所定部材の他に、遊技盤４の所定部材に固定保持するように組み付けるようにしてもよい。また、位置決めピン２５ｃと位置決め孔２２ｆの配置位置及び配置個数は、状況に応じて任意設計変更可能なものでよいこととする。
【００１７】
図７に示すように、後カバー２２をスライドベース２５に対して最上部に配置し、位置決めピン２５ｃを位置決め孔２２ｆの最下部に挿入後、後カバー２２を下方向に移動させると、位置決めピン２５ｃは、スライド部２２ｇを通り隣接する位置決め孔２２ｆに移動して、スライド部２２ｇによりクリック止めされる。これを繰り返し行うことにより、図８に示すように、位置決めピン２５ｃが位置決め孔２２ｆの最上部に配置される位置まで後カバー２２を移動することができる。したがって、位置決めピン２５ｃを、所定ピッチで６個形成された位置決め孔２２ｆのどの位置決め孔２２ｆに配置するかにより、後カバー２２の取り付け位置を６段階で変更することができる。これにより、位置決めピン２５ｃ及び位置決め孔２２ｆは、位置調整機構として機能する。スライドベース２５に対して後カバー２２を所定の取り付け位置に配置した後に、ビス３１により後カバー２２に設けられたステップ２２ｂを介してボス２５ｂへとビス締め固定する。これにより、後カバー２２はスライドベース２５に適宜な位置にて脱不可状態に取り付けられる。
【００１８】
後カバー２２をスライドベース２５に取り付けると、後カバー２２に設けられたボス２２ａはスライドベース２５に設けられた開口２５ａに挿入される。図４に示すように、図柄可変表示装置収納カバー２９は、図柄可変表示装置８を収納するものであり、背面の四隅にはビス締め孔が形成されたボス２９ａが設けられている。図柄可変表示装置収納カバー２９に設けられたボス２９ａと後カバー２２に設けられたボス２２ａとの位置が合うように配置し、ビス３２により、後カバー２２の背面からボス２２ａとボス２９ａとを係合するようにビス締め固定する。従って、四隅に設けられたボス２２ａとボス２９ａとをビス３２によりビス締め固定することにより、後カバー２２と図柄可変表示装置収納カバー２９とは、スライドベース２５を挟み込んだ状態で取り付けられる。
【００１９】
上記のように構成されたパチンコ機の作用について説明する。パチンコ機２を組み立てる際に、図柄可変表示装置８を図柄可変表示装置移動ユニット２０に組み付けた状態で本体枠３に設けられた遊技盤取り付け板などの所定部材に取り付ける。この際、後カバー２２が所望する配置位置になるように、スライドベース２５の上下端部を介して本体枠３側に取り付けられて保持される位置決めピン２５ｃを６個の位置決め孔２２ｆのいずれかへとに挿入して係止させ、ビス３１によりステップ２２ｂとボス２５ｂとをビス締め固定する。図柄可変表示装置収納カバー２９を、ボス２９ａとボス２２ａとの位置が合うように配置し、ビス３２により、後カバー２２の背面からボス２２ａとボス２９ａとをビス締め固定する。図柄可変表示装置８を図柄可変表示装置収納カバー２９に収納し、保護パネル２８を凸部２１ｂに合わせて前カバー２１に収納する。そして、保護パネル２８が収納された前カバー２１に設けられた切欠き２１ｄにスライドベース２５を挿入するとともに、後カバー２２に設けられたリブ２２ｃを前カバー２１の上下内壁面に沿って挿入し、前カバー２１と後カバー２２とを位置決めする。この状態で、ジョイントバンド２６の一方の先端をブリッジ２２ｅの下に潜らせ、前カバー２１に設けられた突起２１ｃにジョイントバンド２６に設けられた開口２６ａを挿入し、ジョイントバンド２６のもう一方の先端をブリッジ２３ｂの下に潜らせ、主制御回路装置１５を収納した主制御回路装置収納カバー２３に設けられた突起２３ａに開口２６ａを挿入すると、ジョイントバンド２６により、後カバー２２を中心に挟持した状態で前カバー２１と主制御回路装置収納カバー２３とが係合される。この状態で、スライドベース２５を、本体枠３の支持部材３ａ等の所定部材に取り付ける。なお、スライドベース２５を取り付ける所定部材は、新旧のパチンコ機に係わらず、共有化して使用できるものであると好適であり、そのため、スライドベース２５の取り付け位置は常に一定となるが、上述した位置調整機構により図柄可変表示装置８の表示部の位置調整ができるようになる。
【００２０】
上記図柄可変表示装置移動ユニット２０が組み付けられたパチンコ機２の機種交換を行うにあたって、副制御回路装置１６、球発射装置１７、球払出装置１８、図柄可変表示装置８及び主制御回路装置１５が内部に組み込まれた図柄可変表示装置移動ユニット２０等が組み付けられた本体枠３ごと遊技場から取り外され、新しい機種のパチンコ機２が遊技場の所定位置に配設される。遊技場から取り外された古い機種は工場等で分解され、部品によってはリユースまたはリサイクルされ、新しい機種のパチンコ機２に組み込まれる。機種の異なる遊技盤４では、図柄可変表示装置８を観察可能にする開口４ｂの位置が遊技性に応じて異なるため、新たな遊技盤４の開口４ｂが設けられた位置に対応させて図柄可変表示装置８を移動させる必要がある。
【００２１】
先ず、収納ケース２４の上下面の左右にて保持されているジョイントバンド２６をニッパ等の治具を用いて切断するか、又は、ジョイントバンド２６の片端を持ち上げて突起２１ｃ又は突起２３ａから離脱させるようにする。ジョイントバンド２６が離脱されると、主制御回路装置収納カバー２３を取り外すことができ、主制御回路装置収納カバー２３に収納されている主制御回路装置１５を新たな機種に対応したものに交換することができる。次に、ビス締めされたビス３１を取り外す。ビス３１を取り外すと、スライドベース２５に対して後カバー２２を上下に移動させることができ、後カバー２２の取り付け位置を変更することができる。後カバー２２を移動させ、位置の異なる位置決め孔２２ｆに位置決めピン２５ｃを挿入することにより、図柄可変表示装置８と新たな遊技盤４の開口４ｂとの位置合わせを行うことができる。そして、前カバー２１と後カバー２２とを位置決めし、新しいジョイントバンド２６により、後カバー２２を中心に挟持した状態となるように前カバー２１と主制御回路装置収納カバー２３とを係合する。
【００２２】
このように、前カバー２１と後カバー２２と主制御回路装置収納カバー２３とを壊すことなく、ジョイントバンド２６を介しての交換により、容易に主制御回路装置１５を新たな機種に対応したものに交換することができる。さらに、図柄可変表示装置移動ユニット２０を、本体枠３を構成する支持部材３ａから取り外すことなく、上述した位置調整機構により、異なる遊技盤４の任意の位置に形成される開口４ｂに対応した位置に図柄可変表示装置８を位置調整することができるから、図柄可変表示装置移動ユニット２０が取り付けられる支持部材３ａを含む本体枠３、図柄可変表示装置８及び各カバー２１〜２３を、遊技性に応じて任意の位置に開口４ｂが形成される異なる複数の遊技盤４に対しても共有化して使用することができる。
【００２３】
また、図柄可変表示装置移動ユニット２０を遊技盤４に直接又は支持板３５を介して取り付けてもよく、図９は、図柄可変表示装置移動ユニット２０を遊技盤４に支持板３５を介して取り付けた場合の側面断面図である。支持板３５にはフック部３５ａが設けられており、スライドベース２５の下側先端部をフック部３５ａに挿入して位置決めし、ビス３６によりスライドベース２５の上側先端部を支持板３５にビス締め固定する。したがって、図柄可変表示装置移動ユニット２０を、支持板３５から取り外すことなく、上述した位置調整機構により、異なる遊技盤４の任意の位置に形成される開口４ｂに対応した位置に図柄可変表示装置８を位置調整することができるから、図柄可変表示装置移動ユニット２０が取り付けられる支持板３５、図柄可変表示装置８及び各カバー２１〜２３を、遊技性に応じて任意の位置に開口４ｂが形成される異なる複数の遊技盤４に対しても共有化して使用することができる。なお、支持板３５は、制御回路装置を組み込む、又は入賞口１０により入賞された遊技球を所定の受け部に案内する通路が設けられる遊技盤取り付け板であると好適である。また、保持部材の一例として用いるスライドベース２５を、支持部材３ａや遊技盤４に直接又は支持板３５を介して取り付ける方法は、ビス等の固定部材による結合、又は嵌合式やスライド式による結合など任意でよいこととする。
【００２４】
なお、上記実施形態では、後カバー２２にスライド開口２２ｄを設け、このスライド開口２２ｄに所定ピッチで位置決め孔２２ｆを６個形成し、スライドベース２５に対して後カバー２２を６段階で移動可能にしたが、これに限定されることなく、位置決め孔２２ｆの個数は適宜変更してもよい。
【００２５】
また、上記実施形態では、ビス３１によりビス締めして後カバー２２とスライドベース２５とを取り付ける構成にしたが、ビス３１を使用せずに、前カバー２１と後カバー２２とにより強固にスライドベース２５を挟み込む構成にしてもよい。
【００２６】
さらに、上記実施形態では、後カバー２２にスライド開口２２ｄを設けるとともに、スライドベース２５に位置決めピン２５ｃを設け、スライドベース２５に対して後カバー２２を移動可能にしたが、前カバー２１にスライド開口を設け、スライドベース２５に対して前カバー２１を移動可能にしてもよい。さらに、前カバー２１あるいは後カバー２２に位置決めピンを設け、スライドベース２５にスライド開口を設けてもよい。
【００２７】
また、突起２１ｃ、ブリッジ２２ｅ、突起２３ａ、ブリッジ２３ｂを、収納ケース２４の上下面の左右にそれぞれ２個ずつ設け、４個のジョイントバンド２６を用いて前カバー２１と後カバー２２と主制御回路装置収納カバー２３とを係合したが、これに限定されることなく、突起２１ｃ、ブリッジ２２ｅ、突起２３ａ、ブリッジ２３ｂを左右面に設けてもよく、その個数も適宜変更してもよい。
【００２８】
さらに、前カバー２１に突起２１ｃを、後カバー２２にブリッジ２２ｅを、主制御回路装置収納カバー２３に突起２３ａとブリッジ２３ｂとを設けるとともに、ジョイントバンド２６に開口２６ａと固定部２６ｂと設け、ジョイントバンド２６により前カバー２１と後カバー２２と主制御回路装置収納カバー２３とを係合したが、これに限定されることなく、前カバー２１と後カバー２２と主制御回路装置収納カバー２３とを係合できる形態のものであればよい。
【００２９】
また、スライドベース２５に対して後カバー２２を上下方向に移動可能にしたが、左右方向に移動可能にしてもよい。
【００３０】
さらに、収納ケース２４に主制御回路装置収納カバー２３を設け、主制御回路装置１５を収納したが、主制御回路装置１５の制御処理情報に基づいて作動される副制御回路装置１６を収納する副制御回路装置収納カバーとして取り付けるようにしてもよい。
【００３１】
図１０に他の実施形態を示す。上記実施形態のものと同様の構成部材には同一の符号を付し、その詳細な説明を省略する。この実施形態では、後カバー４２には、凸状のラック４２ａが設けられている。このラック４２ａは、所定ピッチで形成された７個の歯形４２ｂにより６個の溝４２ｃが形成され、ステップ２２ｂの両サイドに設けられている。スライドベース４５には、凸状の位置決め歯形４５ａが設けられている。この位置決め歯形４５ａは、溝４２ｃに挿入して、後カバー４２とスライドベース４５とを位置決めするものであり、両サイドの上下に設けられている。位置決め歯形４５ａを、６個の溝４２ｃのどの溝４２ｃに挿入するかにより、後カバー４２の取り付け位置を６段階で変更することができる。これにより、位置決め歯形４５ａ及びラック４２ａは、位置調整機構として機能する。なお、後カバー４２に位置決め歯形を設け、スライドベース４５にラックを設けてもよい。
【００３２】
【発明の効果】
以上説明したように、本発明の遊技機によれば、図柄可変表示装置をカバー部材を用いて収納する収納ケースと、遊技盤又は遊技機本体側に取り付けられる保持部材を介して収納ケースを上下方向に移動可能とする位置調整機構とを設けることにより、図柄可変表示装置の配置位置を容易に変更することができるため、図柄可変表示装置や収納ケース関係部材を異なる位置に開口が形成された遊技盤に対しても共有化して使用することができるから、リユース時のコストダウンを効果的に行うことができる。
【図面の簡単な説明】
【図１】本発明を実施したパチンコ機の外観を示す斜視図である。
【図２】図１に示したパチンコ機の背面側からの外観を示す斜視図である。
【図３】図柄可変表示装置移動ユニットを示す斜視図である。
【図４】図柄可変表示装置移動ユニットを示す分解斜視図である。
【図５】図柄可変表示装置移動ユニットを示す断面図である。
【図６】後カバーとスライドベースとの構成を示す斜視図である。
【図７】後カバーをスライドベースに対して最上部に配置したときの構成を示す斜視図である。
【図８】後カバーをスライドベースに対して最下部に配置したときの構成を示す斜視図である。
【図９】図柄可変表示装置移動ユニットを支持板を介して遊技盤に取り付けた側面断面図である。
【図１０】本発明の他の実施形態の後カバーとスライドベースとの構成を示す斜視図である。
【符号の説明】
２  パチンコ機
３  本体枠
４  遊技盤
８  図柄可変表示装置
８ａ  表示面
１５  主制御回路装置
１６  副制御回路装置
２０  図柄可変表示装置移動ユニット
２１  前カバー
２１ａ  開口
２１ｂ  凸部
２１ｃ  突起
２１ｄ  切欠き
２２，４２  後カバー
２２ａ  ボス
２２ｂ  ステップ
２２ｃ  リブ
２２ｄ  スライド開口
２２ｅ  ブリッジ
２２ｆ  位置決め孔
２２ｇ  スライド部
２３  主制御回路装置収納カバー
２４  収納ケース
２５，４５  スライドベース
２５ａ  開口
２５ｂ  ボス
２５ｃ  位置決めピン
２６  ジョイントバンド
２６ａ  開口
２６ｂ  固定部
【図１】
2004209154.tif 000003
【図２】
2004209154.tif 000004
【図３】
2004209154.tif 000005
【図４】
2004209154.tif 000006
【図５】
2004209154.tif 000007
【図６】
2004209154.tif 000008
【図７】
2004209154.tif 000009
【図８】
2004209154.tif 000010
【図９】
2004209154.tif 000011
【図１０】
2004209154.tif 000012